(57)【要約】【課題】底壁部に形成された第１開口及び後壁部に形成された第２開口に面するようにガスアダプタを配置しつつ、第２開口を閉塞することができ、且つガスアダプタを上方から覆うことができるガスコンロを、部品点数の低減を図りつつ実現する。【解決手段】ガスコンロ１は、後壁部２Ｂに固定される固定部３１と、固定部３１から前方に向かって延びるガード部３２と、固定部３１から下方に向かって延びる閉塞部３３と、を有するガード部材３０を備えている。ガード部材３０は、固定部３１、ガード部３２、および閉塞部３３が一体的に形成されている。ガスコンロ１は、固定部３１が後壁部２Ｂに固定された状態において、閉塞部３３が第２開口２Ｈを前方から閉塞するとともに、ガード部３２がガスアダプタ２０を上方から覆っている。【選択図】図４
2020029993.tif 000002
【特許請求の範囲】
【請求項１】
第１開口が形成される底壁部と、第２開口が形成される後壁部と、を有し、内部にガスバーナが設けられる筐体部と、
前記筐体部内に固定され、前記第１開口の開口領域に面する第１ガス入口と、前記第２開口の開口領域に面する第２ガス入口と、前記ガスバーナに通じる内部配管が接続されるガス出口と、を有するガスアダプタと、
前記後壁部に固定される固定部と、前記固定部から前方に向かって延びるガード部と、前記固定部から下方に向かって延びる閉塞部と、を有し、前記固定部、前記ガード部、および前記閉塞部が一体的に形成されるガード部材と、
を備え、
前記固定部が前記後壁部に固定された状態において、前記閉塞部が前記第２開口を前方から閉塞するとともに、前記ガード部が前記ガスアダプタを上方から覆う
ガスコンロ。
【請求項２】
前記ガード部材は、前記固定部の下側において、前記閉塞部の少なくとも一部を前記固定部に対して折り曲げ又は切り離すための弱め線が形成されている
請求項１に記載のガスコンロ。
【発明の詳細な説明】
【技術分野】
【０００１】
本発明は、ガスコンロに関するものである。
【背景技術】
【０００２】
特許文献１のガスコンロは、筐体本体内に、ガスバーナに供給する燃料ガスを機器本体内に取り入れるガス取り入れ部と、ガス取り入れ部から取り入れた燃料ガスを複数の分岐管に分岐する分岐部と、を備えるガスアダプタが設けられている。ガス取り入れ部は、筐体本体の底面（下面）に固定されている。分岐部は、上側の第１面に第１挿入口が形成され、上方向に分岐する外部機器用ガス供給管が挿入される。また、分岐部は、第１面と略直行する側方の第２面に第２挿入口が形成され、第1分岐管の分岐方向と直行する横方向に分岐するバーナ用ガス供給管が挿入される。
【先行技術文献】
【特許文献】
【０００３】
【特許文献１】特開２０１５−１４０９２９号公報
【発明の概要】
【発明が解決しようとする課題】
【０００４】
特許文献１のようなガスコンロは、通常、ガスアダプタのガス取り入れ部に下側からガス供給用の配管が接続されるが、ガスコンロの下側にオーブン等の外部機器が設置される場合には、筐体本体の背面に形成された開口を介して第１挿入口にガス供給用の配管が接続される。そして、ガスコンロの下側にオーブン等の外部機器を設置しない場合もあるため、出荷時において、筐体本体の背面に形成された開口が閉塞板によって閉塞されるようになっている。
【０００５】
一方で、このようなガスアダプタを備えるガスコンロでは、ガスアダプタに筐体本体等から伝わる煮汁等が付着した場合、腐食が生じてガス漏れ等の原因となる問題があった。そのため、ガスアダプタに対して、上方から覆う煮汁カバー等が設けられている。
【０００６】
しかしながら、一般に閉塞板と煮汁カバーは、それぞれが一部品として構成されるため、部品点数の増大を招いてしまう問題がある。そこで、閉塞板と煮汁カバーとを一体化することが考えられるが、筐体本体の背面に形成された開口を介して第１挿入口にガス供給用の配管を接続する場合に、煮汁カバーも取り外されてしまうことになる。この場合、アダプタに対する煮汁等の付着の問題を解消することができなくなる。
【０００７】
本発明は、上述した課題の少なくとも１つを解決するためになされたものであり、筐体部の底壁部に形成された第１開口及び後壁部に形成された第２開口に面するようにガスアダプタを配置しつつ、第２開口を閉塞することができ、且つガスアダプタを上方から覆うことができるガスコンロを、部品点数の低減を図りつつ実現することを目的とするものである。
【課題を解決するための手段】
【０００８】
本発明の一つであるガスコンロは、
第１開口が形成される底壁部と、第２開口が形成される後壁部と、を有し、内部にガスバーナが設けられる筐体部と、
前記筐体部内に固定され、前記第１開口の開口領域に面する第１ガス入口と、前記第２開口の開口領域に面する第２ガス入口と、前記ガスバーナに通じる内部配管が接続されるガス出口と、を有するガスアダプタと、
前記後壁部に固定される固定部と、前記固定部から前方に向かって延びるガード部と、前記固定部から下方に向かって延びる閉塞部と、を有し、前記固定部、前記ガード部、および前記閉塞部が一体的に形成されるガード部材と、
を備え、
前記固定部が前記後壁部に固定された状態において、前記閉塞部が前記第２開口を前方から閉塞するとともに、前記ガード部が前記ガスアダプタを上方から覆う。
【発明の効果】
【０００９】
本発明の一つである上記ガスコンロは、ガード部材の一部をなす閉塞部が後壁部に形成された第２開口を前方から閉塞する。このような構成であるため、第２開口の利用を望まない場合（即ち、第２開口を介して第２ガス入口へガスを供給しない場合）には、閉塞部が第２開口を閉塞した基本構造を維持すれば、第２開口を閉塞したまま使用を継続することができる。しかも、ガード部がガスアダプタを上方から覆う構成であるため、ガスアダプタの上方から煮汁等が滴下しても、その煮汁等をガード部によって受けることができ、煮汁等がガスアダプタに付着したり流れ込んだりすることを効果的に防ぐことができる。更に、固定部、ガード部、および閉塞部が一体化した形でガード部材が構成されるため、「第２開口を閉塞する部材」と「ガスアダプタを上方から覆う部材」とを別々に設ける必要がなく、部品点数の低減を図りつつ上記効果を生じさせることができる。
【図面の簡単な説明】
【００１０】
【図１】実施例１のガスコンロを概略的に例示する正面図である。
【図２】実施例１のガスコンロの背面図である。
【図３】実施例１のガスコンロにおいて天板部、前面パネル、および左壁部等を取り外した状態を例示する平面図である。
【図４】実施例１のガスコンロにおいて天板部、前面パネル、および左壁部等を取り外した状態を例示する斜視図である。
【図５】図３のＡ−Ａ断面を示す断面図である。
【図６】図３のＢ−Ｂ断面を示す断面図である。
【図７】実施例１のガード部材の平面図である。
【図８】実施例１のガード部材の左側面図である。
【図９】実施例１のガード部材における閉塞部および固定部の一部を示す正面図である。
【図１０】実施例１のガスコンロにおいて、図４に示す状態からガード部材を省略した構成を説明する斜視図である。
【図１１】実施例１のガスコンロにおいて、閉塞部の一部を切り離す工程を説明する斜視図である。
【図１２】実施例１のガスコンロにおいて、図４に示す状態から閉塞部の一部を切り離した状態を説明する斜視図である。
【発明を実施するための形態】
【００１１】
本発明の好ましい形態を以下に例示する。但し、本発明は以下の例に限定されない。
【００１２】
ガード部材は、固定部の下側において、閉塞部の少なくとも一部を固定部に対して折り曲げ又は切り離すための弱め線が形成されていてもよい。これにより、弱め線に沿って閉塞部の少なくとも一部を折り曲げ又は切り離すことができる。その上で、弱め線が固定部の下側に形成されているため、固定部が後壁部に固定されてガード部によってガスアダプタを上方から覆った状態のままで、閉塞部による第２開口の閉塞状態を解除することができる。そのため、第２ガス入口を介してガスバーナにガスを供給しようとした場合に、ガス供給のための外部配管を第２ガス入口に接続することを可能としつつ、ガード部によってガスアダプタへの煮汁等の滴下を防ぐことができる。
【００１３】
＜実施例１＞
本発明の実施例１に係るガスコンロ１について、図面を参照しつつ説明する。
１−１．ガスコンロの概要
まず、ガスコンロ１の概要を説明する。図１、図２に示すガスコンロ１は、例えば、調理鍋等の調理器具を加熱可能なビルトインコンロとして構成され、複数のこんろ部６Ａ，６Ｂ，６Ｃを備えるとともに、器内にグリル庫１０を内蔵してなる。このガスコンロ１は、装置本体１Ａに天板部４が取り付けられた構成をなす。装置本体１Ａは、ガスコンロ１から天板部４や五徳９Ａ，９Ｂ，９Ｃなどを除いた部分であり、ガスコンロ１の外殻をなす筐体部２と、筐体部２内に収容される様々な部品（グリル庫１０、ガスアダプタ２０、およびガード部材３０等）とを有してなる。天板部４は、筐体部２の上端部に固定されている。ガスコンロ１には、天板部４から露出するように、左こんろ部６Ａ、右こんろ部６Ｂが夫々設けられ、その左右のこんろ部６Ａ，６Ｂの間で後方寄りに小こんろ部６Ｃが設けられている。左こんろ部６Ａには、ガスバーナ８Ａが設けられ、右こんろ６Ｂには、ガスバーナ８Ｂが設けられ、小こんろ部６Ｃには、ガスバーナ８Ｃが設けられている。ガスバーナ８Ａ，８Ｂ、８Ｃは、公知のガスバーナとして構成され、後述する内部配管２４を介してガスが供給される構成をなし、それぞれの一部が天板部４の上方側に配置されるようになっている。ガスバーナ８Ａ，８Ｂ，８Ｃの周囲には、天板部４に載置された状態で五徳９Ａ，９Ｂ，９Ｃがそれぞれ組み付けられている。天板部４の下方において装置本体１Ａの内部中央付近にはグリル庫１０が設けられている。
【００１４】
１−２．筐体部の構成
次に、筐体部２について詳述する。筐体部２は、図１に示す前面パネル２Ａと、図２に示す後壁部２Ｂと、左壁部２Ｃと、右壁部２Ｄと、図３、図４に示す底壁部２Ｅと、を備えている。なお、図３では、筐体部２の内部構成を一部のみ簡略的に示している。筐体部２は、前後左右の壁部によって部品の収容空間が囲まれた構成をなし、部品の収容空間の下方側は底壁部２Ｅによって閉塞される。筐体部２は、上端側が開放した構成をなす箱状形態をなしており、グリル庫１０などの各種部品を収容する。グリル庫１０の後端部には、後壁部２Ｂに沿って上向きに開口する排気筒１１が形成されている。天板部４は、筐体部２の上端側に構成される開口部を閉塞する構成で筐体部２に取り付けられる。
【００１５】
なお、本明細書では、天板部４の厚さ方向（板厚方向）を上下方向とし、天板部４の表側を上方側とし、裏側を下方側とする。また、前面パネル２Ａと後壁部２Ｂとが対向する方向を前後方向とし、左壁部２Ｃと右壁部２Ｄとが対向する方向を左右方向とする。
【００１６】
底壁部２Ｅには、図４に示すように、左後方側の角の近傍において、半円球状に膨出する膨出部２Ｆが形成されている。図１１に示すように、この膨出部２Ｆの上端部には、円形で上下方向に貫通する第１開口２Ｇが形成されている。第１開口２Ｇには、後述するガスアダプタ２０が固定されている。第１開口２Ｇは、筐体部２内に下方側から外部のガス供給管２５（図５、図６参照）を導入するための導入口である。後壁部２Ｂには、図４、図１０に示すように、略円形の第２開口２Ｈが形成されている。第２開口２Ｈは、筐体部２内に後方側から外部のガス供給管２６（図１２参照）を導入するための導入口である。第２開口２Ｈは、図１０に示すように、上縁部が左右方向に沿って延びている。第２開口２Ｈの上縁部には、前方へ延出する連結片２Ｉが形成されている。連結片２Ｉは、略四角形の薄板状である。連結片２Ｉには、孔２Ｊと、ネジ穴２Ｋと、が形成されている。孔２Ｊは、連結片２Ｉにおける後端部寄りの位置において、連結片２Ｉを上下方向に貫通するように形成されている。ネジ穴２Ｋは、連結片２Ｉにおける前端部寄りの位置において、連結片２Ｉを上下方向に貫通するように形成されている。
【００１７】
１−３．ガスアダプタの構成
次に、ガスアダプタ２０について詳述する。ガスアダプタ２０は、Ｔ字状の管路を有する配管接続具である。ガスアダプタ２０は、図４〜図６に示すように、下側管路２１と、前側管路２２と、後側管路２３と、を備えている。下側管路２１の上端は、前側管路２２の後端と、後側管路２３の前端と、に接続されている。下側管路２１は、例えば膨出部２Ｆにおける第１開口２Ｇの外周部分にねじ止めによって固定されている。下側管路２１は、図１１に示すように、下端に第１ガス入口２１Ａが形成されている。第１ガス入口２１Ａは、下方に位置する第１開口２Ｇの開口領域ＡＲ１に面している。ここで、開口領域ＡＲ１は、底壁部２Ｅ（具体的には膨出部２Ｆ）において第１開口２Ｇによって囲まれた領域である。これにより、第１ガス入口２１Ａは、第１開口２Ｇを介して底壁部２Ｅの下側に開放されている。
【００１８】
前側管路２２は、図１１に示すように、前端にガス出口２２Ａが形成されている。前側管路２２は、ガス出口２２Ａで、ガスバーナ８Ａ，８Ｂ，８Ｃに通じる内部配管２４に接続されている。内部配管２４は、図４に示すように、前方へ引き回されており、前面パネル２Ａの後方でＵターンした状態でグリル庫１０の後方へ引き回されている。
【００１９】
後側管路２３は、図１１に示すように、後端に第２ガス入口２３Ａが形成されている。第２ガス入口２３Ａは、後方に位置する第２開口２Ｈの開口領域ＡＲ２に面している。ここで、開口領域ＡＲ２は、後壁部２Ｂにおいて第２開口２Ｈによって囲まれた領域である。これにより、第２ガス入口２３Ａは、ガード部材３０によって第２開口２Ｈが閉塞されていない状態（図１０、図１１の状態）において、第２開口２Ｈを介して後壁部２Ｂの後方側に開放されている。
【００２０】
１−４．ガード部材の構成
次に、ガード部材３０について詳述する。なお、本明細書では、図８に表れるガード部材３０の上下方向の向きをそのまま上下方向と定義する。前後方向は、図８に表れるガード部材３０の左右方向の向きを前後方向と定義し、固定部３１に対してガード部３２が形成される側が前側であり、それとは反対側が後側である。左右方向は、上下方向および前後方向に直交する方向であり、図８の延出片３１Ｃが形成される側が左側であり、延出片３２Ｆが形成される側が右側である。
【００２１】
ガード部材３０は、例えば金属によって構成され、図７〜図９に示すように、折曲板状に形成されている。ガード部材３０は、固定部３１と、ガード部３２と、閉塞部３３と、を備えている。固定部３１、ガード部３２、および閉塞部３３は、一体的に形成されている。固定部３１は、後壁部２Ｂに固定される部分である。固定部３１は、側面視Ｖ字状の板形状であり、第１板部３１Ａと、第２板部３１Ｂと、を備えている。第１板部３１Ａは、長方形の板状であり、後端で閉塞部３３につながり、前端で第２板部３１Ｂの後端につながっている。第１板部３１Ａには、左側の縁部に下方に延出する略四角板状の延出片３１Ｃが形成されている。第２板部３１Ｂは、長方形の板状であり、前端でガード部３２の後端につながっている。
【００２２】
ガード部３２は、ガスアダプタ２０を上方から覆うように機能する。ガード部３２は、図７に示すように、平面視台形状であり、固定部３１の前端から前方に向かって延びている。ガード部３２は、平面視でガスアダプタ２０よりもサイズが大きい。ガード部３２は、底板部３２Ａと、左後壁部３２Ｂと、左前壁部３２Ｃと、前壁部３２Ｄと、右壁部３２Ｅと、を備えている。底板部３２Ａは、台形の板状であり、図８に示すように、左側から右側に向かうにつれて低位置となるように傾斜して、固定部３１の第２板部３１Ｂの前端につながっている。底板部３２Ａは、右側の縁部の前端から下方に延出する略四角板状の延出片３２Ｆが形成されている。左後壁部３２Ｂ、左前壁部３２Ｃ、前壁部３２Ｄ、および右壁部３２Ｅは、底板部３２Ａの各縁部から上方に延出し、上端が内側に折れ曲がっている。右壁部３２Ｅは、底板部３２Ａの右側の縁部において、前端部を除く位置（延出片３２Ｆが形成される部分を除く位置）に形成されている。そのため、前壁部３２Ｄと右壁部３２Ｅの間には、延出片３２Ｆに相当する大きさのすき間が形成されている。
【００２３】
閉塞部３３は、第２開口２Ｈを前方から閉塞（遮蔽）するように機能する。閉塞部３３は、図８に示すように、固定部３１の後端から下方に向かって延び、片持ち状の延出形態をなしている。閉塞部３３は、下端の左右両角が丸みを帯びた四角板状である。閉塞部３３は、図９に示すように、上端部よりも僅かに下方の位置（固定部３１の下側）に、左右方向に延びる弱め線３３Ａが形成されている。弱め線３３Ａは、３つのスリット３３Ｂ，３３Ｃ，３３Ｄによって構成されている。スリット３３Ｂは、前後方向に貫通するように、閉塞部３３の左端部から右側に僅かに延びる切り込み部分である。スリット３３Ｄは、前後方向に貫通するように、閉塞部３３の右端部から左側に僅かに延びる切り込み部分である。スリット３３Ｃは、スリット３３Ｂとスリット３３Ｄの間において、これらのスリット３３Ｂ，３３Ｄと所定間隔おいて、前後方向に貫通するように左右方向に延びる切り込み部分である。弱め線３３Ａの領域（即ち、スリット３３Ｂ，３３Ｃ，３３Ｄの開口領域、及びこれらのスリット間の領域）は、この領域に隣接する弱め線３３Ａ外の領域よりも強度が低下した部位になっている。
【００２４】
ガード部材３０は、図７，９に示すように、閉塞部３３と固定部３１（具体的には第１板部３１Ａ）を跨るように、板厚方向に貫通する孔３０Ａが形成されている。孔３０Ａは、左右方向に長い長孔である。孔３０Ａは、弱め線３３Ａに対して所定間隔おいて上方の位置に形成されている。孔３０Ａの前縁部の中央位置には、下方に延出する爪部３０Ｂが形成されている。また、図７に示すように、固定部３１の第１板部３１Ａには、孔３０Ａの前方において、上下方向に貫通する円形の孔３０Ｃが形成されている。
【００２５】
また、ガード部材３０は、図７に示すように、ガード部３２と固定部３１とに跨るように、上方に突出する絞り部３０Ｄ，３０Ｅが形成されている。絞り部３０Ｄ，３０Ｅは、前後方向に長い長手状である。絞り部３０Ｄは、ガード部３２および固定部３１のそれぞれにおける左縁部側に形成されている。絞り部３０Ｅは、ガード部３２および固定部３１のそれぞれにおける右縁部側に形成されている。
【００２６】
ガード部材３０は、図４〜６に示すように、筐体部２に組付けられている。具体的には、ガード部材３０を、孔３０Ａに筐体部２の連結片２Ｉを入り込ませるようにして、後壁部２Ｂの前面に配置する。このとき、爪部３０Ｂが、孔２Ｊに嵌まり込み係止する。また、孔３０Ｃに挿通させたネジをネジ穴２Ｋに螺合させる。このようにして、固定部３１が後壁部２Ｂに固定されている。そして、固定部３１が後壁部２Ｂに固定された状態において、閉塞部３３が第２開口２Ｈを前方から閉塞（内貼り）するとともに、ガード部３２が片持ち状に延びた構成でガスアダプタ２０を上方から覆っている。
【００２７】
１−５．ガード部材の作用
次に、ガード部材３０の作用について説明する。まず、ガスコンロ１がキッチンのキャビネットに組付けられ、オーブンがキャビネット内でガスコンロ１の下側に設けられない場合について説明する。このような場合、第１ガス入口２１Ａは、図５、図６に示すように、第１開口２Ｇを介して、ガスコンロ１の下方に設けられるガス供給管２５に接続される。
【００２８】
そして、ガード部材３０は、図４、図６に示すように、固定部３１が後壁部２Ｂに固定された状態において、閉塞部３３によって第２開口２Ｈを前方から閉塞（内貼り）するとともに、ガード部３２によってガスアダプタ２０を上方から覆う。そのため、第２開口２Ｈを介して第２ガス入口２３Ａへガスを供給しない場合には、筐体部２にガード部材３０を固定して、第２開口２Ｈを閉塞することができる。また、ガード部３２によってガスアダプタ２０が上方から覆われるため、煮汁等が上方から伝ってきた場合に（例えば、排気筒１１の周囲から浸入した煮汁等が後壁部２Ｂや天板部４を伝って落ちてきた場合に）、ガード部３２が煮汁等を受けることで、ガスアダプタ２０に滴下することを防ぐことができる。そして、煮汁等が多い場合でも、ガスコンロ１が鉛直方向と直交する水平面上に載置された場合において、底板部３２Ａにおける固定部３１側よりも先端側（延出片３２Ｆ側）の方が低位置となり、かつ、底板部３２Ａにおいて右側の方が低位置（つまり、横方向において延出片３２Ｆが設けられていない側よりも設けられた側の方が低位置）となるように傾斜しているため、底板部３２Ａに溜まった煮汁等が前壁部３２Ｄと右壁部３２Ｅの間から延出片３２Ｆを伝わり、ガスアダプタ２０よりも右側の底壁部２Ｅ上に滴下することになる。そのため、ガスアダプタ２０に煮汁等が付着することを防ぎ、腐食が生じてガス漏れ等の原因となることを回避することができる。
【００２９】
特に、ガスアダプタ２０は、固定部３１、ガード部３２、および閉塞部３３が一体的に形成される構成であるため、第２開口２Ｈを閉塞する部材と、ガスアダプタ２０を上方から覆う部材と、を別々に設ける必要がなく、部品点数の低減を図ることができる。したがって、ガード部材３０によって、部品点数の低減を図りつつ、筐体部２の後壁部２Ｂに形成される第２開口２Ｈを閉塞するとともに、ガスアダプタ２０を上方から覆うことができる。
【００３０】
また、例えば、排気筒１１の周囲から浸入した煮汁等が後壁部２Ｂを伝ってきた場合であっても、ガード部材３０の固定部３１によって受け止めることができる。また、煮汁等の量が多い場合であっても、固定部３１の左右方向に流れ、延出片３１Ｃ等を伝って、ガスアダプタ２０の後方側の底壁部２Ｅ上に滴下することになる。したがって、ガスアダプタ２０に煮汁等が付着することを防ぐことができる。
【００３１】
次に、オーブンがキャビネット内でガスコンロ１の下側に設けられる場合について説明する。このような場合、第１開口２Ｇの下方にはオーブンが位置しており、第１開口２Ｇを介して、第１ガス入口２１Ａにガス供給管２５（図５、図６参照）を接続することができなくなる。そのため、図１２に示すように、第２開口２Ｈを介して第２ガス入口２３Ａに、オーブンから延びるガス供給管２６を接続する。このとき、ガード部材３０において、図１１に示すように、閉塞部３３の下端側の一部（弱め線３３Ａよりも下方側の部分（切り離し部３３Ｅ））を切り離す。具体的には、弱め線３３Ａに沿って閉塞部３３の下端側を前方に折り曲げて、上端側から分断する。
【００３２】
このように、弱め線３３Ａに沿って閉塞部３３の一部を切り離すことができ、ガード部３２によってガスアダプタ２０を上方から覆った状態のままで、閉塞部３３による第２開口２Ｈの閉塞状態を解除することができる。そのため、第２ガス入口２３Ａを介してガスバーナ８Ａ，８Ｂ，８Ｃにガスを供給しようとした場合に、ガス供給のためのガス供給管２６を第２ガス入口２３Ａに接続することを可能としつつ、ガード部３２によってガスアダプタ２０への煮汁等の滴下を防ぐことができる。
【００３３】
そして、オーブンからのガス供給管２６が、閉塞部３３による閉塞が解除された第２開口２Ｈ（図１２参照）から導入されて、第２ガス入口２３Ａに接続される。また、第１ガス入口２１Ａは閉塞される。
【００３４】
ここで、本構成の効果を例示する。
本構成のガスコンロ１は、ガード部材３０の固定部３１が後壁部２Ｂに固定された状態において、閉塞部３３によって筐体部２の第２開口２Ｈが前方から閉塞される。そのため、第２開口２Ｈを介して第２ガス入口２３Ａへガスを供給しない場合には、筐体部２にガード部材３０を固定して、第２開口２Ｈを閉塞することができる。また、ガード部材３０の固定部３１が後壁部２Ｂに固定された状態において、ガード部３２によってガスアダプタ２０が上方から覆われる構成である。そのため、煮汁等が滴下してきた場合に、ガード部３２が煮汁等を受けることで、ガスアダプタ２０に付着することを防ぐことができる。特に、固定部３１、ガード部３２、および閉塞部３３が一体的に形成される構成であるため、第２開口２Ｈを閉塞する部材と、ガスアダプタ２０を上方から覆う部材と、を別々に設ける必要がなく、部品点数の低減を図ることができる。したがって、ガード部材３０によって、部品点数の低減を図りつつ、筐体部２の後壁部２Ｂに形成される第２開口２Ｈを閉塞するとともに、ガスアダプタ２０を上方から覆うことができる。
【００３５】
また、本構成のガスコンロ１は、ガード部材３０において、固定部３１の下側に、閉塞部３３の一部を固定部３１に対して切り離すための弱め線３３Ａが形成されている。
これにより、弱め線３３Ａに沿って閉塞部３３の一部を切り離すことができ、ガード部３２によってガスアダプタ２０を上方から覆った状態のままで、閉塞部３３による第２開口２Ｈの閉塞状態を解除することができる。そのため、第２ガス入口２３Ａを介してガスバーナ８Ａ，８Ｂ，８Ｃにガスを供給しようとした場合に、ガス供給のための外部配管を第２ガス入口２３Ａに接続することを可能としつつ、ガード部３２によってガスアダプタ２０への煮汁等の滴下を防ぐことができる。
【００３６】
＜他の実施例＞
本発明は上記記述及び図面によって説明した実施例に限定されるものではなく、例えば次のような例も本発明の技術的範囲に含まれる。また、上述した実施例や後述する実施例の特徴は矛盾しない範囲でどのように組み合わせてもよい。
【００３７】
実施例１では、第２開口２Ｈの閉塞状態を解除する場合に、閉塞部３３の下端側の一部（切り離し部３３Ｅ）を弱め線３３Ａに沿って切り離す構成を示したが、閉塞部３３の下端側の一部を弱め線３３Ａに沿って折り曲げる構成であってもよい。具体的には、閉塞部３３における弱め線３３Ａよりも上方側の部分に対して、下端側の一部（図９の切り離し部３３Ｅに相当する部分）を前方に折り曲げる構成である。このような構成であっても、閉塞部３３による第２開口２Ｈの閉塞状態を解除して、ガス供給管２６を第２ガス入口２３Ａに接続することを可能としつつ、ガード部３２によってガスアダプタ２０への煮汁等の滴下を防ぐことができる。
【００３８】
実施例１では、第１開口２Ｇおよび第２開口２Ｈは、円形の開口部分であったが、形状は円形に限らない。例えば、第１開口２Ｇおよび第２開口２Ｈは、四角形状等の開口部分であってもよい。
【００３９】
実施例１では、ガード部材３０は、閉塞部３３における上端部よりも僅かに下方の位置において弱め線３３Ａが形成されていたが、固定部３１の下側であれば、その他の位置に形成されていてもよい。例えば、弱め線３３Ａは、固定部３１と閉塞部３３との間の境界部分に形成されていてもよい。また、実施例１では、弱め線３３Ａが、３つのスリット３３Ｂ，３３Ｃ，３３Ｄによって構成されていたが、その他の形状であってもよい。具体的には、他の領域よりも厚さが小さくされた強度低下部位、又は、貫通孔や切り欠き部とされた強度低下部位が、連続的又は断続的に線状に形成されていればよい。例えば、弱め線３３Ａは、ミシン目のように切り込みが入っている構成であってもよい。あるいは、弱め線に隣接する領域よりも弱め線の領域の方が厚さが小さくなるように溝状に構成されていてもよい。
【００４０】
実施例１では、固定部３１が後壁部２Ｂに直接的に固定される例を示したが、固定部は、他部材を介して間接的に後壁部２Ｂに固定されていてもよい。
【符号の説明】
【００４１】
１…ガスコンロ
２…筐体部
２Ｂ…後壁部
２Ｅ…底壁部
２Ｇ…第１開口
２Ｈ…第２開口
８Ａ，８Ｂ，８Ｃ…ガスバーナ
２０…ガスアダプタ
２１Ａ…第１ガス入口
２２Ａ…ガス出口
２３Ａ…第２ガス入口
２４…内部配管
３０…ガード部材
３１…固定部
３２…ガード部
３３…閉塞部
３３Ａ…弱め線
【図１】
2020029993.tif 000003
【図２】
2020029993.tif 000004
【図３】
2020029993.tif 000005
【図４】
2020029993.tif 000006
【図５】
2020029993.tif 000007
【図６】
2020029993.tif 000008
【図７】
2020029993.tif 000009
【図８】
2020029993.tif 000010
【図９】
2020029993.tif 000011
【図１０】
2020029993.tif 000012
【図１１】
2020029993.tif 000013
【図１２】
2020029993.tif 000014